(57)【特許請求の範囲】
【請求項１】
本体部と、
該本体部に取付けられ、挿入されたカードの表面を観視できる透明部を有する袋部と、
前記本体部に取付けられ、携帯者への装着を可能にする装着手段と、
前記本体部内部に設けられ、音声発生装置、発光装置、及び振動装置のうち、少なくとも一つを含む付加装置と、を備えるカードホルダーであって、
保護材が前記本体部内部に収納され、
前記付加装置は、該付加装置の作動を制御する操作部を含み、
前記本体部における、前記操作部と相対する部分が可撓性の押圧可能部であり、
この押圧可能部と前記操作部の間に配置されるように前記保護材が前記本体部内部に収納され、
前記押圧可能部を撓ませることにより、前記保護材を介して前記操作部が操作されるように構成されたカードホルダー。
【請求項２】
前記保護材が、平板状の前部保護板である請求項１に記載のカードホルダー。
【請求項３】
前記本体部が可撓性を有する袋状の部材である請求項１に記載のカードホルダー。
【請求項４】
前記本体部の外表面は、前記押圧可能部に、前記操作部の位置を視認させるための操作表示部を備える請求項１から３のいずれかに記載のカードホルダー。
【請求項５】
前記保護材として、前記前部保護板とは別に、柔軟な後部保護板が前記本体部内部に収納された請求項２に記載のカードホルダー。
【請求項６】
前記後部保護板が、前記付加装置と前記本体部との相対的な位置を決定する位置決め手段を備える請求項５に記載のカードホルダー。
【請求項７】
前記位置決め手段が、前記後部保護板に形成された、前記付加装置を収納する凹部である請求項６に記載のカードホルダー。
【請求項８】
前記前部保護板と前記後部保護板とが相対して配置され、前記前部保護板と前記後部保護板との間に前記付加装置が配置される請求項５から７のいずれかに記載のカードホルダー。
【請求項９】
前記付加装置が、該付加装置を起動させるタイマー機能を含む請求項１に記載のカードホルダー。
【請求項１０】
前記発光装置は発光部を含み、前記本体部における、少なくとも前記発光部と相対する部分が、光を外方に透過させる透過手段を備える請求項１に記載のカードホルダー。
【請求項１１】
前記透過手段が、前記本体部が透明であることを特徴とする請求項１０に記載のカードホルダー。
【請求項１２】
前記透過手段が、前記本体部が光を外方に透過させる有色の被膜を備えることを特徴とする請求項１０に記載のカードホルダー。
【請求項１３】
時刻表示装置をさらに含む請求項１、または９のいずれかに記載のカードホルダー。
【請求項１４】
前記時刻表示装置の計時機能がタイマー機能を有する請求項１３に記載のカードホルダー。
【請求項１５】
前記付加装置がＩＣ及びスピーカを含み、前記音声発生装置がメロディを奏するようにしたことを特徴とする請求項１に記載のカードホルダー。
【請求項１６】
前記発光装置がＬＥＤであることを特徴とする請求項１に記載のカードホルダー。
【請求項１７】
前記発光装置がエレクトロルミネッセンスであることを特徴とする請求項１に記載のカードホルダー。
【請求項１８】
前記振動装置がモータとモータの回転軸に取付けられた偏心錘とよりなることを特徴とする請求項１に記載のカードホルダー。
【発明の詳細な説明】
【０００１】
【発明の属する技術分野】
本発明は、遊園地及びコンサートの入場券、スキー場のリフト券、交通機関の乗車券などのカード類を保持して、衣服に取付けできるカードホルダーに関するものである。
【０００２】
【従来の技術】
本出願人は、特開平７−２４６１１０号において、本体内部に、時計を収納したカードホルダーを提案した。この時刻表示機能を付加したカードホルダーには、カード類を利用できる制限時間や団体行動の集合時間を、容易に確認できるという利点がある。特に、腕時計を忘れたとき、または施設に備えつけの時計が見つからないときに、効果がある。
【０００３】
【発明が解決しようとする課題】
しかしながら、カードホルダーに時刻表示機能を付加しただけでは、商品としての付加価値の大きさ及び面白みに欠けている。また、カードホルダーを胸に装着した場合、カードホルダーに表示される時刻を逆さに見ることになり、時刻が読みにくいと言う欠点がある。特に、夜間では、カードホルダーに表示される時刻が見えないこともある。
さらに、カードホルダーを身に付けたまま転倒したり、カードホルダーを何物かにぶつけるなどすると、その衝撃により時計ムーブメントが故障したり、破損したりすることがある。
【０００４】
本発明の第一の目的は、商品としての付加価値に富み、面白みのあるカードホルダーを提供するにある。
本発明の第二の目的は、容易に時刻が確認できるカードホルダーを提供するにある。
本発明の第三の目的は、外部からの衝撃に耐えることのできるカードホルダーを提供するにある。
【０００５】
【課題を解決するための手段】
本発明は、本体部と、本体部に取付けられ、挿入されたカード表面を観視できる透明部を有する袋部と、本体部に取付けられ、携帯者への装着を可能にする装着手段と、本体部内部に設けられ、音声発生装置、発光装置、及び振動装置のうち、少なくとも一つを含む付加装置とよりなることを特徴とする。この構成により商品としての付加価値に富み、面白みのあるカードホルダーを提供できる。
【０００６】
本発明は、付加装置は、該付加装置の作動を制御する操作部を含み、本体部における、操作部と相対する部分が可撓性の押圧可能部であり、この押圧可能部を撓ませることにより操作部を操作できるようにしたことを特徴とする。指で本体部を撓ませて、内部の操作部を操作することができる。また操作部が露出しないので、カードホルダーの美観を損ねない。
この場合、本発明は、この押圧可能部と付加装置の間に配置されるように保護材を本体部内部に収納し、押圧可能部を撓ませることにより、保護材を介して操作部を操作できる。
さらに、本発明は、この保護材として、平板状の前部保護板を採用することができる。
【０００７】
本発明は、本体部が可撓性を有する袋状の部材であることを特徴とする。付加装置を簡単に収納できるので、カードホルダーを容易に組み立てることができる。また、本体部が携帯者の身体に接触しても、携帯者を傷つける恐れが無い。
【０００８】
本発明の本体部の外表面は、押圧可能部に、操作部の位置を視認させるための操作表示部を備えることを特徴とする。操作部の位置を観取できるので、操作性が良くなる。
【０００９】
本発明は、保護材として、前部保護板とは別に、柔軟な後部保護板が本体部内部に収納されたことを特徴とする。外部からの衝撃を保護材が緩衝するので、付加装置を衝撃から保護することができる。また、携帯者の身体の動きに柔軟に追従できるので、装着感が向上する。
【００１０】
本発明は、後部保護板が、付加装置と本体部との相対的な位置を決定する位置決め手段を備えることを特徴とする。操作部と操作表示部とを確実に相対させることができるので、カードホルダーを容易に組み立てることができる。
【００１１】
本発明は、位置決め手段が、後部保護板に形成された、付加装置を収納する凹部であることを特徴とする。簡単に位置決めできるばかりか、衝撃が負荷されても付加装置が変位することがない。
【００１２】
本発明は、前部保護板と後部保護板とが相対して配置され、前部保護板と後部保護板との間に付加装置が配置されることを特徴とする。耐衝撃性がさらに向上する。
【００１３】
本発明は、付加装置が付加装置を起動させるタイマー機能を含むことを特徴とする。タイマー機能によって、所定の時刻に自動的に付加装置を作動させることができる。従って、携帯者は時計を見ることなく時刻を知ることができる。また、タイマー機能によって、作動した付加装置を、所定の時間経過後に、自動的に停止させるようにすれば、操作が簡便になる。
【００１４】
本発明は、発光装置は発光部を含み、本体部における、少なくとも発光部と相対する部分が、光を外方に透過させる透過手段を備えることを特徴とする。また、本発明は、透過手段が、本体部が透明であることを特徴とする。また、本発明は、透過手段が、本体部が光を外方に透過させる有色の被膜を備えることを特徴とする。
【００１５】
本発明は、時刻表示装置をさらに含むことを特徴とする。また、本発明は、時刻表示装置の計時機能がタイマー機能を有することを特徴とする。
【００１６】
【発明の実施の形態】
図１は本発明の第一実施形態によるカードホルダーの正面図、図２は図１のＩＩ−ＩＩ線断面図、図３は図１のＩＩＩ−ＩＩＩ線断面図、図４は側面図、図５は背面図、図６は分解斜視図である。
このカードホルダーは、図１に示すように、本体部１とカード保持の為の袋部２とよりなる。本体部１は、内部の装置が観取できないように、着色された合成樹脂より成る可撓性の袋体で図２に示すように表シート１ａと裏シート１ｂよりなる。本体部１には上方に突出する装飾部３が形成され、ここに、本カードホルダーが販売される、テーマ・パークのキャラクターや図柄などが印刷されている。袋部２は透明なビニール製で、その上端において本体部１の裏シート１ｂに接着片６を介して接着され、図４に示すように接着部の下方に開口４が形成され、ここよりカードを挿入できるようになっている。
【００１７】
本体部１の背部には、図２に示すように、鰐口クリップ５が取付けられ、衣服のポケットに取付けられるようになっている。尚、この装着手段としては、他に安全ピン、腕に巻き付けるバンド等でもよい。
本体部１内には、図２に示すように、合成樹脂製のスポンジ状前後保護板７、８が保持されており、後部保護板８には図６に示すように凹部１０、１１が形成され、その中に時刻表示装置１２及び音声発生装置１３が収納されている。時刻表示装置１２には時刻表示部１４と二個の押しボタン１５、１６が設けられている。押しボタン１５は時刻合わせ用であり、ボタン１６はアラームのセット用である。
【００１８】
音声発生装置１３は図７に示すように前部合成樹脂製のハウジング１７と基板１８と裏板１９とを有する。ハウジング１７には多数の放音孔２０と二個の押しボタン部２１、２２が形成されている。押しボタン部は柔軟で押しつぶされるようになっている。
基板１８上にはＩＣ２３、スピーカ２４、バッテリ２５、及び起動スイッチボタン２６、停止スイッチボタン２７が取付けられ、夫々配線２８、２９、３０で接続されている。ＩＣ２３は、メロディ、アラーム、合成音声などを発生させるプログラムを記録させた集積回路である。メロディとしては、テーマパーク及び遊園地などのフリーパスポート券を入れるカードホルダーであれば、テーマパークや遊園地などのテーマ曲などを演奏させることが好ましい。スピーカ２４は圧電半導体より成る。また、バッテリ２５は薄型水銀電池である。スイッチボタン２６は、音声を発生させる起動ボタン、スイッチボタン２７は、停止ボタンで、共に押圧型の可撓性のゴムスイッチである。
【００１９】
ＩＣ２３に所定の時間だけスピーカを作動させた後、スピーカへの電力の供給を停止させるタイマー回路を組み込んでおくこともできる。また、所定のメロディを一回だけ鳴らすこともできる。このような場合には、停止ボタン２７は排除できる。ＩＣ２３を挟んでハウジング１７と裏板１９は、超音波溶着又は接着などで接合されている。
組立てられた状態では、押しボタン部２１、２２の内側がスイッチボタン２６、２７の上面に当接するようになっている。時刻表示部１４は、本体部１の透明な合成樹脂の薄板よりなる時刻表示用窓３１の所に位置し、外部より見えるようになっている。
【００２０】
また、本体部１には、時刻表示装置１２の押しボタン１５、１６に対向する位置に操作表示部３２、３３が表示されており、この部分を指で押すことにより押しボタン１５、１６を押すことができるようになっている。
更に、押しボタン部２１、２２に対向して操作表示部３４、３５が表示されており、之を押すことにより、スイッチボタン２６、２７が押され音声の発生、停止を行うことができるようになっている。
【００２１】
以上のような構造であるから、例えば遊園地のフリーパスポートを袋部２内に入れ、パスポートの有効時刻又は同行の人との待合わせ時刻等を操作表示部３３を押すことによりアラームをその時刻に作動させることができる。そして、このホルダーを衣服に取付け、園内を自由に楽しむことができる。また、操作表示部３４を押すことにより、メロディを発生させ、雰囲気を高めることができる。
内部の各装置は、前後の保護板７、８で保護されているので、ホルダーが異物に当たったり、使用者が転倒するようなことがあっても故障、破損したりすることはない。
【００２２】
図８は第一実施形態の変形例を示す断面図である。
この例においては、本体部４０は硬質な合成樹脂で作られ、押しボタン部４１に対向する部分は、可撓性の柔軟な合成樹脂４０ａで作られている。硬質の合成樹脂と軟質の合成樹脂とは、異素材成形機を用いた射出成形、あるいはインサート成形により、一体に形成できる。他の部分は前記の実施形態と同じ符号を付し、説明を省略する。
【００２３】
図９は、更に他の変形例を示す分解斜視図である。
この例においては、時刻表示装置１２の時計ムーブメントの計時回路とＩＣ２３が配線４２により接続されている。これにより所定の時間にスピーカ２４を自動的に作動させることができる。例えば、テーマ・パークの閉園時間になると、スピーカからメロディが演奏されるようにしておけば、携帯者は、時計を見ることなく閉園時間を知ることができる。メロディに代えて、「もうすぐ閉園です」のようなメッセージを発生させることもできる。あるいは、所定の時間（例えば１時間）ごとにメロディを鳴らしても良い。
この例においては、図１０に示すように後部保護板８に配線４２を入れる溝４３が形成されている。
【００２４】
図１１は本発明の第二実施形態を示す平面図、図１２は要部の分解斜視図である。
本形態においては、本体部４５全体が透明な合成樹脂の袋で構成され、また保護板（図示せず）も透明な材料で作られている。基板４６上にはスピーカ４７の周囲に四個のＬＥＤ４８が設けられ、ＩＣ５０には、ＬＥＤを起動する回路が設けられている。
起動スイッチボタン５２を押すと、電子音声が発生すると共に、ＬＥＤ４８が発光する。特に夜間に発光させることにより、時刻表示が読み取りやすくなる。またＩＣ５０にＬＥＤを点滅させるプログラムを記憶させておいても良い。また時刻表示装置５３の計時回路とＩＣとを接続し、所定の時間にスピーカとＬＥＤを作動させるようにしてもよい。それにより、例えば、テーマ・パークなどでパレードなどの特定のイベントが開始される時間に音と光を発生させ、携帯者にイベントの開始を知らせることができる。
【００２５】
図１３は第二実施形態の変形例を示す平面図である。
この例では、透明な合成樹脂の袋よりなる本体部４５にＬＥＤを含む環状部５４を除いて、不透明で有色の印刷層が施されている。
また、図１４に示す変形例では環状部５４に光を透過できる有色の印刷層Ａが施されている。更に、印刷層Ａの色調を変えることにより、ＬＥＤ４８の発光色を変えることができる。
【００２６】
図１５及び図１６に示す例では、ＬＥＤ４８に隣接して、円盤状のＥＬ（エレクトロルミネッセンス）５６、５７が設けられている。このようにＥＬを備えることにより、本体部をＬＥＤより広い面積で照明することができる。
図１７は本発明の第三実施形態を示す斜視図、図１８はその平面図である。
本実施形態では振動装置６０が設けられている。その振動装置はモータ６１とその回転軸に取付けられた偏心錘６２とよりなる。この装置では、起動ボタン６３を押すとモータが起動し偏心錘６２が回転し、本体部が振動する。
【００２７】
尚、時刻表示装置６４の計時機能を利用して、所定の時間に振動が発生するようにして、所定の時刻を知らせるようにしてもよい。
尚、上記の例においては、時計ムーブメントの計時回路を利用したが、付加装置のＩＣに計時回路とを接続する必要は無い。この場合、時刻表示装置を排除してもかまわない。
上記各実施形態における付加装置の種類を相互に入れ替えたり、組み合わせたりすることができることは言うまでもない。
【００２８】
【発明の効果】
商品としての付加価値に富み、面白みのあるカードホルダーとすることができる。更に、本発明によるカードホルダーは、容易に時刻が確認でき、また外部からの衝撃に耐えることのできる。
【図面の簡単な説明】
【図１】本発明の第一実施形態によるカードホルダーの正面図である。
【図２】図１のＩＩ−ＩＩ線断面図である。
【図３】図１のＩＩＩ−ＩＩＩ線断面図である。
【図４】側面図である。
【図５】背面図である。
【図６】分解斜視図である。
【図７】音声発生装置の分解斜視図である。
【図８】第一実施形態の変形例を示す断面図である。
【図９】他の変形例を示す分解斜視図である。
【図１０】後部保護板の斜視図である。
【図１１】本発明第二実施形態を示す平面図である。
【図１２】要部の分解斜視図である。
【図１３】第二実施形態の変形例を示す平面図である。
【図１４】第二実施形態の他の変形例を示す平面図である。
【図１５】第二実施形態の更に他の変形例を示す平面図である。
【図１６】図１５の変形例における基板の分解斜視図である。
【図１７】本発明の第三実施形態を示す斜視図である。
【図１８】その平面図である。
【符号の説明】
１  本体部
１ａ  表シート
１ｂ  裏シート
２  袋部
３  装飾部
４  開口
５  鰐口クリップ
６  接着片
７  前部保護板
８  後部保護板
１０、１１  凹部
１２  時刻表示装置
１３  音声発生装置
１４  時刻表示部
１５、１６  押しボタン
１７  ハウジング
１８  基板
１９  裏板
２０  放音孔
２１、２２  押しボタン部
２３  ＩＣ
２４  スピーカ
２５  バッテリ
２６  起動スイッチボタン
２７  停止スイッチボタン
２８、２９、３０  配線
３１  時刻表示用窓
３２、３３、３４、３５  操作表示部
４０  本体部
４０ａ  合成樹脂
４１  押しボタン部
４２  配線
４３  溝
４５  本体部
４６  基板
４７  スピーカ
４８  ＬＥＤ
５０  ＩＣ
５２  起動スイッチボタン
５３  時刻表示装置
５４  環状部
５６、５７  ＥＬ（エレクトロライト・ルミネッセンス）
６０  振動装置
６１  モータ
６２  偏心錘
６３  起動ボタン
６４  時刻表示装置
【図１】
0004199373.tif 000002
【図２】
0004199373.tif 000003
【図３】
0004199373.tif 000004
【図４】
0004199373.tif 000005
【図５】
0004199373.tif 000006
【図６】
0004199373.tif 000007
【図７】
0004199373.tif 000008
【図８】
0004199373.tif 000009
【図９】
0004199373.tif 000010
【図１０】
0004199373.tif 000011
【図１１】
0004199373.tif 000012
【図１２】
0004199373.tif 000013
【図１３】
0004199373.tif 000014
【図１４】
0004199373.tif 000015
【図１５】
0004199373.tif 000016
【図１６】
0004199373.tif 000017
【図１７】
0004199373.tif 000018
【図１８】
0004199373.tif 000019